(57)【要約】【課題】温水の消費量を抑制して節水や省エネを図りながらも、ユーザの身体を効率よく温めて優れたリラックス効果を得ることが可能なシャワー浴室システムを提供する。【解決手段】座席部２と、足湯用タブ３と、温水をミスト状または非ミスト状で噴出することが可能なシャワー装置４と、を備えている、シャワー浴室システムＳであって、座席部２および足湯用タブ３の少なくとも一方には、内部に温水が供給されることにより、座席部２の表面部および足湯用タブ３に溜められた湯水の少なくとも一方を加熱することが可能な温水流通路６が設けられている。【選択図】  図１
2015083098.tif 000002
【特許請求の範囲】
【請求項１】
座席部と、
足湯用タブと、
温水をミスト状または非ミスト状で噴出することが可能なシャワー装置と、
を備えている、シャワー浴室システムであって、
前記座席部および前記足湯用タブの少なくとも一方には、内部に温水が供給されることにより、前記座席部の表面部および前記足湯用タブに溜められた湯水の少なくとも一方を加熱することが可能な温水流通路が設けられていることを特徴とする、シャワー浴室システム。
【請求項２】
請求項１に記載のシャワー浴室システムであって、
前記温水流通路は、前記座席部および前記足湯用タブの双方に設けられ、前記座席部の表面部および前記足湯用タブに溜められた湯水の双方を加熱することが可能とされている、シャワー浴室システム。
【請求項３】
請求項２に記載のシャワー浴室システムであって、
前記温水流通路のうち、前記座席部に設けられた部分と、前記足湯用タブに設けられた部分とは、互いに独立した温水流通路として形成されており、
前記座席部に設けられた部分と前記足湯用タブに設けられた部分の双方に温水が供給される状態と、いずれか一方の選択された側のみに温水が供給される状態とを切り替え可能とされている、シャワー浴室システム。
【請求項４】
請求項１ないし３のいずれかに記載のシャワー浴室システムであって、
前記座席部に設けられた温水流通路は、前記座席部の座面部および背もたれ部のそれぞれに個別に対応して設けられており、前記座面部および前記背もたれ部の双方を加熱した状態と、一方を加熱した状態とを切り替え可能とされている、シャワー浴室システム。
【請求項５】
請求項１ないし４のいずれかに記載のシャワー浴室システムであって、
前記座席部および前記足湯用タブの配置箇所の周囲を囲む側壁部、およびユーザ出入り用の開閉扉を有するシャワーユニット用のボックスを備えており、
前記座席部および前記足湯用タブは、前記ボックス内に組み付けられて、これらがユニット化されている、シャワー浴室システム。
【請求項６】
請求項５に記載のシャワー浴室システムであって、
前記足湯用タブには、排水のオン・オフ切り替えが可能な排水口が設けられており、
前記座席部の上面部の左右両側縁部および後縁部は、前記ボックスの側壁部に接触し、かつこの接触部分は、前記座席部と前記側壁部との間に温水が流れ落ちることを防止する止水シール部とされており、
前記シャワー装置から噴出されてユーザ、前記座席部、および前記側壁部に掛かった温水については、前記足湯用タブに流れ込ませることが可能とされ、この温水を前記足湯用タブに溜める動作、および前記足湯用タブの排水口を介して外部に排出する動作を選択的に行なうことが可能とされている、シャワー浴室システム。
【請求項７】
請求項１ないし６のいずれかに記載のシャワー浴室システムであって、
熱源機によって加熱された温水を前記温水流通路に流通させる加熱モードと、冷却手段によって冷却された水を前記温水流通路に流通させる冷却モードと、が切り替え可能とされている、シャワー浴室システム。
【発明の詳細な説明】
【技術分野】
【０００１】
本発明は、温水のミスト状または非ミスト状のシャワーを浴びるのに利用されるシャワー浴室システムに関する。
【背景技術】
【０００２】
シャワー浴室システムの一例として、特許文献１に記載のものがある。
同文献に記載のシャワー浴室システムは、座席部、足湯用タブ、および座席部の背面などに設置されたシャワー用ノズルを備えており、ユーザが座席部に着席した状態で足湯をしながら温水シャワーを浴びることが可能とされている。
近年においては、人々の生活様式が多様となり、浴槽を利用することなく、シャワーを浴びるだけで入浴を済ませる生活スタイルの人が増加する傾向にある。前記したシャワー浴室システムは、そのような生活スタイルに対応する。
【０００３】
しかしながら、前記従来技術においては、次に述べるように、未だ改善の余地がある。
【０００４】
すなわち、従来においては、ユーザ（入浴者）の身体を温めるには、温水シャワーを浴び続ける必要がある。温水シャワーの噴出を止めると、ユーザの身体が冷えてしまう。また、足湯用タブに貯留された温水も次第に冷めていく。このため、ユーザが浴槽の湯に浸った場合と同様に自己の身体を十分に温めてリラックスしようとすると、温水シャワーを長時間にわたって浴びたり、足湯用タブに温水を頻繁に追加しなければならないこととなり、温水消費量が多くなってしまう。したがって、節水や省エネを図る観点からすると未だ改善すべき余地がある。また、足湯を使いながら温水シャワーを比較的長時間にわたって浴びたとしても、やはりこれだけでは、ユーザの身体を温めてリラックスさせる上で十分とは言い難い点もある。したがって、この点においても改善の余地がある。
【先行技術文献】
【特許文献】
【０００５】
【特許文献１】特開２００７−２６８１６１号公報
【発明の概要】
【発明が解決しようとする課題】
【０００６】
本発明は、前記したような事情のもとで考え出されたものであり、温水の消費量を抑制して節水や省エネを図りながらも、ユーザの身体を効率よく温めて優れたリラックス効果を得ることが可能なシャワー浴室システムを提供することを、その課題としている。
【課題を解決するための手段】
【０００７】
上記の課題を解決するため、本発明では、次の技術的手段を講じている。
【０００８】
本発明により提供されるシャワー浴室システムは、座席部と、足湯用タブと、温水をミスト状または非ミスト状で噴出することが可能なシャワー装置と、を備えている、シャワー浴室システムであって、前記座席部および前記足湯用タブの少なくとも一方には、内部に温水が供給されることにより、前記座席部の表面部および前記足湯用タブに溜められた湯水の少なくとも一方を加熱することが可能な温水流通路が設けられていることを特徴としている。
【０００９】
このような構成によれば、次のような効果が得られる。
第１に、温水流通路に供給されて流通する温水を利用して、座席部の表面部および足湯
用タブに溜められた湯水の少なくとも一方が加熱されるために、ユーザを温める効果に優れたものとなる。より具体的には、座席部の表面部が温水により加熱された場合には、ユーザが着座している場合に、温水シャワーが当たり難い部分（背中、臀部、または太腿の裏側など）を効率よく温めることが可能である。また、足湯用タブ内の湯水が加熱された場合には、足湯用タブ内の湯水が冷めないようにすることが可能である。したがって、特許文献１と比較して、ユーザの身体を温める効果、およびユーザをリラックスさせる効果を優れたものとすることができる。
第２に、本発明によれば、前記したようにユーザの身体を温める効果に優れる結果、温水シャワーを長時間にわたって浴び続けること、あるいは足湯用タブに温水を頻繁に追加するといったことを行なう必要がなくなる。したがって、温水消費量を少なくすることができる。ユーザが着衣のまま座席部に座り、温水シャワーを浴びることなく身体を温めてリラックスするような使用態様も可能となる。本発明においては、温水流通路に温水を供給する必要があるものの、この温水は繰り返し利用が可能である。したがって、本発明によれば、特許文献１と比較して、温水の消費量を少なくし、節水や省エネを図ることができる。
【００１０】
本発明において、好ましくは、前記温水流通路は、前記座席部および前記足湯用タブの双方に設けられ、前記座席部の表面部および前記足湯用タブに溜められた湯水の双方を加熱することが可能とされている。
【００１１】
このような構成によれば、温水流通路を流通する温水を利用して、ユーザの背中あるいは臀部などを温めることと、足湯用タブに溜められた湯水を加熱してこの湯水が冷めないようにすることの双方が実現できる。
【００１２】
本発明において、好ましくは、前記温水流通路のうち、前記座席部に設けられた部分と、前記足湯用タブに設けられた部分とは、互いに独立した温水流通路として形成されており、前記座席部に設けられた部分と前記足湯用タブに設けられた部分の双方に温水が供給される状態と、いずれか一方の選択された側のみに温水が供給される状態とを切り替え可能とされている。
【００１３】
このような構成によれば、ユーザがどの部分を温めたいかという要望に的確に応えることができ、融通性、快適性を高めることができる。
【００１４】
本発明において、好ましくは、前記座席部に設けられた温水流通路は、前記座席部の座面部および背もたれ部のそれぞれに個別に対応して設けられており、前記座面部および前記背もたれ部の双方を加熱した状態と、一方を加熱した状態とを切り替え可能とされている。
【００１５】
このような構成によれば、ユーザの要望に対してきめ細かく対応する上で一層好ましいものとなる。
【００１６】
本発明において、好ましくは、前記座席部および前記足湯用タブの配置箇所の周囲を囲む側壁部、およびユーザ出入り用の開閉扉を有するシャワーユニット用のボックスを備えており、前記座席部および前記足湯用タブは、前記ボックス内に組み付けられて、これらがユニット化されている。
【００１７】
このような構成によれば、シャワー浴室システムのユニット化により、設置工事の容易化やコスト低減などを好適に図ることができる。
【００１８】
本発明において、好ましくは、前記足湯用タブには、排水のオン・オフ切り替えが可能
な排水口が設けられており、前記座席部の上面部の左右両側縁部および後縁部は、前記ボックスの側壁部に接触し、かつこの接触部分は、前記座席部と前記側壁部との間に温水が流れ落ちることを防止する止水シール部とされており、前記シャワー装置から噴出されてユーザ、前記座席部、および前記側壁部に掛かった温水については、前記足湯用タブに流れ込ませることが可能とされ、この温水を前記足湯用タブに溜める動作、および前記足湯用タブの排水口を介して外部に排出する動作を選択的に行なうことが可能とされている。
【００１９】
このような構成によれば、温水シャワーを継続して使用すれば、必然的に足湯用タブに温水を溜めることが可能であり、合理的である。また、温水シャワーに利用された湯水の排水経路、および足湯に利用された湯水の排水経路が一本化されることとなり、湯水排水経路の簡素化が好適に図られる。
【００２０】
本発明において、好ましくは、熱源機によって加熱された温水を前記温水流通路に流通させる加熱モードと、冷却手段によって冷却された水を前記温水流通路に流通させる冷却モードと、が切り替え可能とされている。
【００２１】
このような構成によれば、温水を利用してユーザの身体を温めるモードと、冷却水を利用してユーザの身体を冷やすモードとの切り替えが可能であるために、ユーザの要望に対してより適切に対応し得ることとなる。また、ユーザの身体を温めるモードと身体を冷やすモードとを適当な時間間隔で繰り返し実行すれば、温度差を利用した一種のマッサージ効果が得られることとなる。
【００２２】
本発明のその他の特徴および利点は、添付図面を参照して以下に行なう発明の実施の形態の説明から、より明らかになるであろう。
【図面の簡単な説明】
【００２３】
【図１】本発明に係るシャワー浴室システムの一例を示す概略斜視図である。
【図２】図１に示すシャワー浴室システムの平面断面図である。
【図３】図１に示すシャワー浴室システムを構成する座席部の例を示す斜視図である。
【図４】（ａ），（ｂ）は、図３に示す座席部の断面図である。
【図５】図１に示すシャワー浴室システムの要部断面図である。
【図６】（ａ）は、図５に示されたバルブを模式的に示す説明図であり、（ｂ）および（ｃ）は、その要部断面図であり、（ｂ）は（ｃ）のVIb−VIb断面に相当する。
【図７】（ａ）〜（ｄ）は、座席部などの加熱領域の切り替え状態を示す斜視図である。
【図８】本発明の他の例を示す概略斜視図である。
【図９】（ａ），（ｂ）は、本発明の他の例を示す斜視図である。
【発明を実施するための形態】
【００２４】
以下、本発明の好ましい実施の形態について、図面を参照して具体的に説明する。
【００２５】
図１〜図７は、本発明が適用されたシャワー浴室システムおよびこれに関連する構成の一例を示している。
図１によく表われているように、本実施形態のシャワー浴室システムＳは、略直方体状かつ内部空洞状のシャワーユニット用ボックス１内に、座席部２、足湯用タブ３、シャワー装置４、リモコン９０が設置された構成を有している。
【００２６】
シャワーユニット用ボックス１は、前面部に開閉扉１０を有する他、床板部１１、この床板部１１から起立した複数の側壁部１２ａ〜１２ｃ、および天井部１３を有している。
これらは樹脂製である。
【００２７】
シャワー装置４は、給湯栓４０にシャワーヘッド４１をホース接続した構成であり、給湯栓４０には、熱源機５０から湯水供給が可能である。熱源機５０は、たとえばガス給湯装置などであるが、その種別は問わない。シャワーヘッド４１は、湯水をミスト状で噴出するものと、非ミスト状（通常の水流状）で噴出するものとのいずれであってもよい。シャワーヘッド４１を取り替えることにより、ミスト噴出と非ミスト噴出との切り替えを行なうようにしてもよい。また、ミスト用と非ミスト用との２つのシャワーヘッドが設けられた構成とすることもできる。側壁部１２ａ，１２ｂには、シャワーヘッド用のフック４２が適宜設けられている。
【００２８】
座席部２は、たとえば図３に示すような形状を有しており、座面部２０と背もたれ部２１とを有している。本実施形態においては、座席部２の手前側に足湯用タブ３が一体的に設けられている。より具体的には、図４に示すように、座席部２の基本的な骨格をなすベース部２２と足湯用タブ３とは、一体的に樹脂成形されており、座席部２のベース部２２上には、クッション部２３が設けられている。クッション部２３の表皮は、非透水性である。足湯用タブ３は、適量の温水を溜めることが可能な部位であり、起立状の前壁部３０、左右一対の側壁部３１、および座席部２の前面部２４を利用して構成されている。ただし、足湯用タブ３の一対の側壁部３１を無くし、シャワーユニット用ボックス１の左右の側壁部１２ａ，１２ｂの下部領域を一対の側壁部３１の代替部分とすることも可能である。
【００２９】
座席部２は、シャワーユニット用ボックス１の奥部に組み付けられているが、この組み付けに際しては、図１および図２に示すように、座席部２の上面部の左右両側縁部２５および後縁部２６が、シャワーユニット用ボックス１の側壁部１２ａ〜１２ｃにそれぞれ密接し、かつこの密接部分は、側壁部１２ａ，１２ｂのそれぞれと両側縁部２５との間、および側壁部１２ｃと後縁部２６との間に湯水が流れ込むことを防止可能な止水シール部となるように行なわれている。この止水シール部のシール性をより確実化するための手段として、座席部２の上面部の左右両側縁部２５および後縁部２６を、側壁部１２ａ〜１２ｃに接着させるといった手段を採用してもよい。このような構成により、本実施形態においては、側壁部１２ａ〜１２ｃに掛かったシャワー水の殆どは、座席部２上または足湯用タブ３内に流れ落ちることとなる。ユーザや座席部２に掛かったシャワー水は、足湯用タブ３に流れ落とすことが可能である。このようなことから、シャワー水の殆どを足湯用タブ３内に集めることができることとなる。
【００３０】
図５に示すように、足湯用タブ３の底部には、栓体３５を利用することにより排水動作のオン・オフ切り替えが可能な排水口３６が設けられている。好ましくは、足湯用タブ３の水位が一定以上になることを防止するための手段として、予備排水口３７が座席部２の前面部２４に設けられている。排水口３６および予備排水口３７を通過した湯水は、シャワーユニット用ボックス１の外部に排出される。
【００３１】
図３および図４に示すように、座席部２および足湯用タブ３の裏面側には、複数の温水流通路６が設けられている。この温水流通路６は、座席部２の表面部および足湯用タブ３に貯留された湯水を加熱するための手段であり、ベース部２２に埋設された蛇行状、直状、あるいは湾曲状などの適宜の形状の複数本のパイプ６８を用いて構成されている。ベース部２２にパイプ６８を埋設する手段としては、図４（ａ）の部分拡大図によく表われているように、ベース部２２の片面に凹部２２ａを形成し、かつこの凹部２２ａにパイプ６８を進入させる手段を採用することができる。ただし、このような手段を採用することなく、ベース部２２の片面にパイプ６８を接触させるだけでもよい。また、パイプ６８からの放熱ロスを少なくすることを目的として、パイプ６８の下側を覆う断熱シート６７を設
けてもよい。
【００３２】
好ましくは、ベース部２２を構成する樹脂には、遠赤外線輻射特性をもつセラミックスが練り込まれている。また、このような手段に代えて、または加えて、クッション部２３中に、遠赤外線輻射特性をもつセラミックスが混入され、あるいはクッション部２３とベース部２２との間に、前記したようなセラミックスを含有するシートやその他の部材が介装されている。このような構成によれば、温水流通路６からの単なる放熱作用によってユーザの身体を温める場合よりも、温浴効果を高めることが可能である。
【００３３】
温水流通路６としては、たとえば第１ないし第４の温水流通路６（６ａ〜６ｄ）が設けられており、熱源機５０から送られてきた温水は、方向切替え弁７を介して第１ないし第４の温水流通路６ａ〜６ｄのうち、選択された部分に供給されるようになっている。第１の温水流通路６ａは、座席部２の背もたれ部２１の加熱用、第２の温水流通路６ｂは、背もたれ部２１と座面部２０との境界部分(腰部に相当)の加熱用、第３の温水流通路６ｃは、座面部２０の加熱用である。第４の温水流通路６ｄは、足湯用タブ３に貯留された湯水の加熱用である。図４（ａ）に示すように、方向切替え弁７は、座席部２の内側に配され、かつ第１ないし第４の温水流通路６ａ〜６ｄのそれぞれと配管接続されている。また、図４（ｂ）に示すように、座席部２の内側には、第１ないし第４の温水流通路６ａ〜６ｄを通過した温水を内部に流入させるためのヘッダ７９も設けられている。
【００３４】
方向切替え弁７は、図６（ａ）〜（ｃ）に示すように、温水流入用の１つのポートＰ０、温水流出用の４つのポートＰ１〜Ｐ４、およびポートＰ０の連通先をポートＰ１〜Ｐ４のいずれかに切り替えるための回転自在な弁体７０を有している。ポートＰ０には、熱源機５０から供給されてくる温水が流入する。方向切替え弁７は、たとえば電動弁であり、リモコン９０を利用して遠隔操作可能である。方向切替え弁７を切替え操作することにより、たとえば次のように温水供給先を設定変更可能である。
ポートＰ０，Ｐ１を連通させた場合には、第１の温水流通路６ａに温水が流れ、図７（ａ）で示すように、背もたれ部２１が加熱領域Ａ１（クロスハッチング部分、以下同様）となる。ポートＰ０，Ｐ２を連通させた場合には、第２の温水流通路６ｂに温水が流れ、図７（ｂ）で示すように、背もたれ部２１と座席部２との境界領域が加熱領域Ａ２となる。ポートＰ０，Ｐ３を連通させた場合、およびポートＰ０，Ｐ４を連通させた場合には、それぞれ図７（ｃ），（ｄ）に示すように、足湯用タブ３が加熱領域Ａ３となり、また前記した各領域Ａ１〜Ａ３に加え、座面部２０も加熱領域Ａ４となる。
【００３５】
第１ないし第４の温水流通路６ａ〜６ｄのいずれかまたは全てを通過した使用済みの湯水は、その後にヘッダ７９に流れ込んでからシャワーユニット用ボックス１の外部に流出する。この湯水の流出先は、図１に示す湯水用のタンク５１である。温水流通路６への温水供給は、ポンプＰ１を駆動させて、タンク５１の湯水を熱源機５０に送り込んで加熱させることにより行なわれる。リモコン９０は、複数の操作スイッチおよびディスプレイを有しており、熱源機５０から温水流通路６への温水供給のオン・オフに加え、温水供給先の切替え（前記した方向切替え弁７の制御）や、熱源機５０による温水の加熱温度などを変更設定するための操作スイッチを備えている。もちろん、給湯栓４０に供給される湯水温度を調整するための操作スイッチなども備えている。
【００３６】
次に、前記したシャワー浴室システムＳの作用について説明する。
【００３７】
まず、このシャワー浴室システムＳの使用態様としては、大別すると、次のような使用態様が可能である。
第１の使用態様として、足湯用タブ３が設置されたスペースを、いわゆる洗い場として利用し、ユーザが足湯用タブ３上に立った状態で温水シャワーを浴びることが可能である
。この態様は、通常のシャワー浴室と同様な使い方である。
第２の使用態様として、ユーザが座席部２に着座し、足湯用タブ３に溜められた温水を利用した足湯をしながら、温水のミスト状または非ミスト状のシャワーを必要に応じて浴びることが可能である。この場合、温水流通路６に温水を流すことにより、座席部２の表面部、ならびに足湯用タブ３内の湯水を加熱することができる。
第３の使用態様として、ユーザが着衣状態のまま座席部２に着座して足湯をし、または足湯をしないままで、温水流通路６に温水を流して座席部２を加熱することが可能である。
【００３８】
前記した第１ないし第３の使用態様が可能であることにより、ユーザの幅広い要望に応じ得ることとなる。とくに、第２および第３の使用態様においては、座席部２に着座したユーザの身体を効率よく温めることが可能である。より詳細には、温水流通路６に温水が流入して座席部２が加熱された場合、着座状態のユーザの身体のうち、温水シャワーを浴びた場合であっても温まり難い背中、腰部、臀部、あるいは太腿の裏側などを効率よく温めることが可能である。また、足湯用タブ３内の湯水については、この湯水が冷めないように温めることも可能である。したがって、ユーザの身体を温める効果、およびユーザをリラックスさせる効果に優れたものとなる。本実施形態においては、図６および図７を参照して説明したように、加熱領域Ａ１〜Ａ４をユーザが選択できるために、ユーザにとってより快適なものとなる。
【００３９】
前記したようにユーザの身体を温める効果に優れると、ユーザは、温水シャワーを長時間にわたって浴び続ける必要がなくなる。したがって、温水消費量を少なくする効果も得られる。一方、座席部２などを加熱するための手段として、温水流通路６に温水を流通させる必要があるが、この温水はタンク５１に戻されて再利用される。したがって、本実施形態のシャワー浴室システムＳによれば、節水および省エネを促進し得る効果も期待できる。
【００４０】
図１および図２を参照して説明したように、座席部２の上面部の左右両側縁部２５および後縁部２６と、シャワーユニット用ボックス１の側壁部１２ａ〜１２ｃとは密接しており、座席部２と側壁部１２ａ〜１２ｃとの間には湯水が流れ込まないようにされていることに基づき、シャワーヘッド４１から噴出したシャワー水の殆どは、足湯用タブ３に集められる。したがって、温水シャワーに利用された湯水の排水経路、および足湯に利用された湯水の排水経路が一本化され、排水経路の簡素化、合理化を好適に図ることもできる。なお、シャワー浴を終えた場合に、座席部２の表面部が濡れていたとしても、温水流通路６からの温熱（残熱も含む）を利用し、座席部２を早期に乾燥させることも可能である。
【００４１】
本実施形態においては、シャワーユニット用ボックス１内に座席部２や足湯用タブ３などが組み付けられて、これらの全体がユニットされているために、シャワー浴室システムＳの搬入・設置工事が容易となる。本実施形態のシャワー浴室システムＳは、たとえばワンルームマンションなどの集合住宅、ホテル、スポーツジムなどに設置して使用するのに適するが、いずれの場合においても、その設置コストを比較的廉価にすることが可能である。
【００４２】
図８および図９は、本発明の他の実施形態を示している。これらの図において、前記実施形態と同一または類似の要素には、前記実施形態と同一の符号を付している。
【００４３】
図８に示す実施形態においては、熱源機５０からシャワーユニット用ボックス１内への温水供給経路に、冷却装置５５およびポンプＰ２が三方弁５６を介して接続されている。このことにより、シャワーユニット用ボックス１内の所定箇所に対する熱源機５０からの温水供給と、冷却装置５５を利用して冷却された水の供給とが切り替え可能となっている
。
【００４４】
このような構成によれば、たとえば座席部２の温水流通路６に温水を流す加熱モードと、冷水を流す冷却モードとを、適当な時間間隔（数分程度の間隔など）で繰り返すことにより、ユーザの身体に温度変化を与え、一種のマッサージ効果を生じさせることができる。また、夏季などにおいては、座席部２の温水流通路６に冷水を流した状態で着席することにより、身体のクールダウンを図るといった使用態様も可能となる。
【００４５】
図９に示す実施形態においては、足湯用タブ３Ａが座席部２Ａとは別体の箱状に形成され、かつ座席部２Ａの前面部に形成された開口部２９内に引き出し方式で収容することが可能とされている。本実施形態から理解されるように、足湯用タブは、座席部とは別体で設けられていてもよい。もちろん、足湯用タブを座席部内に収容させない構造とすることもできる。
【００４６】
本発明は、上述した実施形態の内容に限定されない。本発明に係るシャワー浴室システムの各部の具体的な構成は、本発明の意図する範囲内において種々に設計変更自在である。
【００４７】
上述の実施形態においては、温水流通路が座席部および足湯用タブの双方に設けられているが、これに代えて、温水流通路が座席部および足湯用タブのいずれか一方のみに設けられた構成とすることも可能である。座席部に温水流通路を設ける場合においては、必ずしも座席部の表面部の略全面が加熱される必要はなく、たとえば一部分のみが加熱されるように構成されていてもよい。
【００４８】
座席部の具体的な形状、サイズ、材質は限定されない。たとえば、背もたれの角度を調整できるような座席部とすることもできる。足湯用タブについては、座席部とは別体で形成してもよいことは既述したとおりであり、その具体的な形状やサイズなどもやはり限定されない。温水流通路は、金属製パイプとは異なるチューブを用いたり、あるいは座席部に湯水流通用の孔部を設けるなどして構成することもできる。本発明でいうシャワー装置は、ハンドシャワータイプのものに代えて、または加えて、シャワーヘッド、またはシャワーノズルが所定の位置に固定されたタイプのものとすることも可能である。
【符号の説明】
【００４９】
Ｓ  シャワー浴室システム
１  シャワーユニット用ボックス
２，２Ａ  座席部
３，３Ａ  足湯用タブ
４  シャワー装置
６  温水流通路
１２ａ〜１２ｃ  側壁部（シャワーユニット用ボックスの）
２０  座面部（座席部の）
２１  背もたれ部（座席部の）
３６  排水口
【図１】
2015083098.tif 000003
【図２】
2015083098.tif 000004
【図３】
2015083098.tif 000005
【図４】
2015083098.tif 000006
【図５】
2015083098.tif 000007
【図６】
2015083098.tif 000008
【図７】
2015083098.tif 000009
【図８】
2015083098.tif 000010
【図９】
2015083098.tif 000011